(57)【要約】      （修正有）【課題】長期間財布の中に紙幣を入れておいても、汚れ、シワ、角折れが防止される包装袋を提供する。【解決手段】包装袋は、１万円札が１０枚程度入る袋４を薄い透明のフィルムで作成し、その中に紙幣３を入れる。さらに透明袋の予備を財布にいれておくことにより、領収書をその透明袋に入れて１箇所に収納することが可能となる。包装袋は、ＯＰＰあるいは、ＣＰＰ等の透明で厚みが３０ミクロンから５０ミクロン程度の薄いフィルムで作成することにより、財布の中での膨張を避ける。また紙幣や、領収書が入れやすいように、袋の開口部には１ミリ程度の口ずれ部分を設ける。【選択図】図２
0003220289.tif 000002
【実用新案登録請求の範囲】
【請求項１】
現行の紙幣より若干大きい寸法に形成された透明フィルムの袋で、袋の開口部に口ズレ加工を施し紙幣の収納をスムーズにした透明袋
【考案の詳細な説明】
【技術分野】
【０００１】  本考案は、財布の中で紙幣がシワになったり、領収書が乱雑になったりすることを解決するための袋の考案である。
【背景技術】
【０００２】  従来、紙幣を財布の中に入れておくと、たとえ長財布であったとしても、時間の経過とともに、紙幣が汚れたり、シワになったりする場合があった。また領収書を財布の中に複数枚入れておいた場合、バラバラになったり、見た目も乱雑になったりという問題があった。特許文献１のような「紙幣シワ伸ばし装置」があるが、シワを伸ばす装置であって、上述のシワができることを防止する装置ではない。
【先行技術文献】
【特許文献１】公開実用新案公報平０４−１３０２５１号
【考案の概要】
【考案が解決しようとする課題】
【０００３】  本来、財布の中に入れた紙幣は、いつまでも綺麗な状態で保持できれば良いが、財布の中に入れておくと、いつのまにか手垢や、他の紙幣の汚れがついたり、シワになったりという問題があった。また領収書を財布の中に入れておくと、複数枚になったとき、どうしてもバラバラになったり、見た目が乱雑になったりという問題があった。
【課題を解決するための手段】
【０００４】  上記課題を解決するため、本考案の包装袋は、１万円札が１０枚程度入る袋を薄いフィルムの透明袋で作成し、その中に紙幣を入れておくものである。
さらに透明袋の予備を財布に入れておくことにより、いつ領収書を受け取っても、財布の中のその透明袋に入れて１箇所に収納することが可能となる。
包装袋は、ＯＰＰあるいは、ＣＰＰ等の透明なフィルムで、厚みが３０ミクロンから５０ミクロン程度の薄いフィルムを用いることにより、財布の中での膨張を避ける。
また紙幣や、領収書が入れやすいように、袋の開口部には１ミリ程度の口ずれ部分を設ける。
なお、財布については、二つ折り等の財布は不向きであり、財布を折ることのない長財布が最適である。
【考案の効果】
【０００５】  本考案の包装袋に紙幣を入れておくことにより、長期間財布の中に紙幣を入れておいても、汚れ、シワ、角折れが防止される。【０００６】  また、受け取った領収書をすぐに包装袋の中に収納することにより、領収書を１箇所にまとめ、整理整頓された状態を維持することが可能となる。
【図面の簡単な説明】
【図１】図１（Ａ）は、本考案の紙幣用の袋のデザインである。図１（Ｂ）は、本考案の紙幣用透明袋に紙幣を挿入するイラストである。図１（Ｃ）は紙幣を挿入した後の紙幣用透明袋を一般的な長財布に収納するイラストである。
【考案を実施するための形態】
【０００７】  以下、本考案にかかる紙幣の模擬紙幣の例について図に基づいて説明する。ここで、図１（Ａ）は本考案にかかる紙幣用透明袋の平面図である。符号２の部分に紙幣が収納しやすいように加工された口ズレ部分を設置している。
【０００８】  図１（Ｂ）は本考案の紙幣用透明袋に紙幣を挿入した平面図である。
【０００９】  図１（Ｃ）は本考案の紙幣用透明袋に紙幣を挿入した状態のものを長財布に挿入した平面図である。
【符号の説明】  １  紙幣用透明袋
２  口ズレ部分
３  紙幣
４  紙幣用透明袋
５  紙幣を挿入した紙幣用透明袋
６  長財布
【図１】
0003220289.tif 000003
0003220289.tif 000004
【手続補正書】
【提出日】平成30年8月31日(2018.8.31)
【手続補正１】
【補正対象書類名】図面
【補正対象項目名】全図
【補正方法】変更
【補正の内容】
【図１】
0003220289.tif 000005
【図２】
0003220289.tif 000006
【図３】
0003220289.tif 000007
【手続補正２】
【補正対象書類名】明細書
【補正対象項目名】全文
【補正方法】変更
【補正の内容】
【考案の詳細な説明】
【技術分野】
【０００１】
本考案は、財布の中で紙幣がシワになったり、領収書が乱雑になったりすることを解決するための袋の考案である。
【背景技術】
【０００２】
従来、紙幣を財布の中に入れておくと、たとえ長財布であったとしても、時間の経過とともに、紙幣が汚れたり、シワになったりする場合があった。また領収書を財布の中に複数枚入れておいた場合、バラバラになったり、見た目も乱雑になったりという問題があった。特許文献１のような「紙幣シワ伸ばし装置」があるが、シワを伸ばす装置であって、上述のシワができることを防止する装置ではない。
【先行技術文献】
【特許文献】
【０００３】
【特許文献１】公開実用新案公報平０４―１３０２５１号
【考案の概要】
【考案が解決しようとする課題】
【０００４】
本来、財布の中に入れた紙幣は、いつまでも綺麗な状態で保持できれば良いが、財布の中に入れておくと、いつのまにか手垢や、他の紙幣の汚れがついたり、シワになったりという問題があった。また領収書を財布の中に入れておくと、複数枚になったとき、どうしてもバラバラになったり、見た目が乱雑になったりという問題があった。
【課題を解決するための手段】
【０００５】
上記課題を解決するため、本考案の包装袋は、1万円札が１０枚程度入る袋を薄いフィルムの透明袋で作成し、その中に紙幣を入れておくものである。
さらに透明袋の予備を財布に入れておくことにより、いつ領収書を受け取っても、財布の中のその透明袋に入れて1箇所に収納することが可能となる。
包装袋は、ＯＰＰあるいは、ＣＰＰ等の透明なフィルムで、厚みが３０ミクロンから５０ミクロン程度の薄いフィルムを用いることにより、財布の中での膨張を避ける。
また紙幣や、領収書が入れやすいように、袋の開口部には１ミリ程度の口ずれ部分を設ける。
なお、財布については、二つ折り等の財布は不向きであり、財布を折ることのない長財布が最適である。
【考案の効果】
【０００６】
本考案の包装袋に紙幣を入れておくことにより、長期間財布の中に紙幣を入れておいても、汚れ、シワ、角折れが防止される。
【０００７】
また、受け取った領収書をすぐに包装袋の中に収納することにより、領収書を1箇所にまとめ、整理整頓された状態を維持することが可能となる。
【図面の簡単な説明】
【０００８】
【図１】図１は、本考案の紙幣用の袋のデザインである。
【図２】図２は、本考案の紙幣用透明袋に紙幣を挿入するイラストである。
【図３】図３は紙幣を挿入した後の紙幣用透明袋を一般的な長財布に収納するイラストである。
【考案を実施するための形態】
【０００９】
以下、本考案にかかる紙幣の模擬紙幣の例について図に基づいて説明する。ここで、図１は本考案にかかる紙幣用透明袋の平面図である。符号２の部分に紙幣が収納しやすいように加工された口ズレ部分を設置している。
【００１０】
図２は本考案の紙幣用透明袋に紙幣を挿入した平面図である。
【００１１】
図３は本考案の紙幣用透明袋に紙幣を挿入した状態のものを長財布に挿入した平面図である。
【符号の説明】
【００１２】
１  紙幣用透明袋
２  口ズレ部分
３  紙幣
４  紙幣用透明袋
５  紙幣を挿入した紙幣用透明袋
６  長財布